【事件の表示】
　商願２００９−２８６２５拒絶査定不服審判事件について、次のとおり審決する。
【結　論】
　本件審判の請求は、成り立たない。
【理　由】
１　本願商標
　本願商標は、別掲１のとおりの構成よりなり、第３４類に属する「未加工又は加工済みのたばこ，葉巻たばこ，紙巻きたばこ，シガリロ，手巻きたばこ，パイプ用たばこ，かみたばこ，かぎたばこ，丁子入り紙巻きたばこ，経口・無煙・加熱処理した湿ったたばこ，代用たばこ（医療用のものを除く。），その他のたばこ，紙巻きたばこ用紙，シガレット・チューブ，フィルター，ブリキ製のたばこ入れ，その他のたばこ入れ，たばこケース及び灰皿，喫煙パイプ，たばこ紙巻き器，喫煙用ライター，その他の喫煙用具，マッチ」を指定商品として、平成２１年４月２日に登録出願されたものである。
　
２　引用商標
　原査定において、本願の拒絶の理由に引用した登録第５２４０９２４号商標（以下「引用商標」という。）は、別掲２のとおりの構成よりなり、平成２０年１１月１０日登録出願、第３４類「たばこ，喫煙用具，マッチ」を指定商品として、同２１年６月１９日に設定登録され、現に有効に存続しているものである。
　　 
３　当審の判断
(１)本願商標と引用商標との類否について
　本願商標は、上記１のとおり、灰色の横長四角形の上段に「ＢＬ」と「ＣＫ」の欧文字を、四角形の下部を三角形状に切り取った図形（以下「本願図形」という。）の左右に、それぞれ黒色で表し、その下段に「ＯＮＥ」の欧文字を白抜きで表した構成からなるものであるところ、「ＢＬ」及び「ＣＫ」の欧文字は、本願図形を中心に左右両側にバランスよく同じ書体、同じ大きさ、同じ色彩をもって表されていることから、これらの文字は一体のものとしてみられるものである。そして、「ＢＬ」及び「ＣＫ」の文字部分と「ＯＮＥ」の文字部分とは、上下に分けて表されている上に、文字の大きさや色彩も相違するものであるから、両者は、視覚上、分離して観察されるものであり、加えて、本願商標中の「ＯＮＥ」の文字部分は、その指定商品との関係において、タール分を１ｍｇ含有するたばこであるとの品質を表示したものと容易に認識されるものである。そうすると、本願商標は「ＢＬ」及び「ＣＫ」の文字部分に相応して「ビイエルシイケイ」の称呼を生じるものであり、その称呼もよどみなく一連に称呼しうるものである。そうとすれば、本願商標は「ＢＬ」「ＣＫ」の文字部分をもって、取引に資する場合も決して少なくないものというのが相当である。
　してみれば、本願商標は、全体として「ビイエルシイケイワン」の称呼を生ずるほか、「ＢＬ」及び「ＣＫ」の文字部分に相応して「ビイエルシイケイ」の称呼をも生じ、特定の観念を生じない造語よりなるものというのが相当である。
　他方、引用商標は、上記２のとおり、黒色の星型の図形（以下「引用図形」という。）を縦に７つ並べ、上から四つ目の引用図形を中心として、黒色で表した「Ｂｌ」と「ｃｋ」の欧文字をその左右に配した構成よりなるところ、「Ｂｌ」及び「ｃｋ」の欧文字は、当該引用図形を中心として左右両側にバランスよく同じ書体、同じ色彩をもって表されていることから、これらの文字は一体のものとしてみられるものであり、当該欧文字部分に相応して「ビイエルシイケイ」の称呼を生じるものである。そして、その称呼もよどみなく一連に称呼しうるものである。そうとすれば、引用商標は「Ｂｌ」「ｃｋ」の文字部分をもって、取引に資する場合も決して少なくないものというのが相当である。
　してみれば、引用商標は、当該文字部分に相応して「ビイエルシイケイ」の称呼を生じ、特定の観念を生じない造語よりなるものというのが相当である。
　したがって、本願商標と引用商標とは、外観における差異を有し、観念において比較することができないとしても、「ビイエルシイケイ」の称呼を共通にすることから、称呼上、相紛らわしい類似の商標というべきである。
　さらに、本願商標の指定商品は、引用商標の指定商品と同一又は類似のものである。
（２）請求人の主張について
　請求人は、本願商標及び引用商標の指定商品の取引者、需要者の注意力からすれば、本願図形及び引用図形は、欧文字の「Ａ」又は「ａ」を図案化したものと、認識されるから、本願商標は「ＢＬＡＣＫ　ＯＮＥ」の欧文字からなり「ブラックワン」の称呼のみを生じ、引用商標は「Ｂｌａｃｋ」の欧文字からなり「ブラック」の称呼を生じるが、「ビイエルシイケイ」との称呼が生じることはない、と主張する。
　しかしながら、本願商標の指定商品の分野の取引者・需要者が、相応の注意力を有するとしても、本願図形及び引用図形が、欧文字の「Ａ」又は「ａ」の特徴的な点を有しているというような格別の事情もないことからすれば、本願図形及び引用図形のいずれからも、欧文字の「Ａ」又は「ａ」を認識するとは、言い難いものである。
　また、請求人は、本願図形及び引用図形のいずれも、前後の文字との関係等から欧文字の「Ａ」又は「ａ」を図案化したものと容易に認識できるというが、我が国で、一般に親しまれた英語には、「ｂｌｏｃｋ」も存在し、必ずしも「ｂｌａｃｋ」を認識するとは限らないものというのが相当である。
　さらに、請求人は、過去の審決や登録商標の事例を挙げて、その主張を根拠づけようとするが、請求人の挙げる審決や登録商標は、いずれも本願商標及び引用商標と、その構成態様を異にするばかりでなく、商標の類否は、比較する両商標について個別具体的に考察し、検討されるべきものであって、他の審決や登録商標の存在によって、判断が左右されるものではない。
　その他、本願図形及び引用図形を欧文字の「Ａ」又は「ａ」と認識し、理解するとの格別の事情も見いだせないものである。
　なお、請求人は本願図形によって、欧文字「Ａ」を表すのは、「単なる図案化以上に独創的な手法」であるとも主張するが、そうであればなおさら、本願の指定商品の取引者、需要者が、本願図形を欧文字「Ａ」と「無理なく理解できる」とは、言い難いものである。
　また、請求人は、本願商標の一体的にまとまりのある構成から、あえて「ＢＬ」及び「ＣＫ」の文字部分のみから商品の識別を行うのは極めて不自然であるから、取引者、需要者は、本願商標を「ＢＬＡＣＫ　ＯＮＥ」と認識する旨、主張する。
　しかしながら、本願商標は、上記（１）のとおり、その構成中の「ＢＬ」及び「ＣＫ」の文字部分と、「ＯＮＥ」の文字部分とは視覚上、分離して観察されるものである。加えて、本願商標の指定商品中「たばこ」については、その含有するタール分が１ｍｇのたばこについて、「ＯＮＥ」、「１」又は「ワン」の文字を、その商標中に表示する例が多数見受けられる実情がある（例えば、「タール１ｍｇのたばこ」の見出しのウェブサイトには、「ベーシック・ワンＫＳボックス」と表記されている（http://www.tabako-sakuranbo.co.jp/special/tar1mg.php）。さらに、同ウェブサイトの掲載商品には、タール１ｍｇの「マールボロ・フィルター・プラス・ワン・ボックス」が記載され、商品の包装には、「ＯＮＥ」の文字が表示されている（http://www.tabako-sakuranbo.co.jp/goods/goods-3324.php）。）。そうとすると、本願商標中の「ＯＮＥ」の欧文字は、指定商品であるたばこのタール分が１ｍｇであることを直接的に表示するものにすぎず、自他商品の識別標識としての機能がないか又は極めて弱いものということができるから、簡易迅速をたっとぶ取引の実際においては、当該文字部分を除いた「ＢＬ」及び「ＣＫ」の文字部分をもって簡略に称呼されるものというのが相当である。
　してみれば、本願商標からは、「ＢＬ」及び「ＣＫ」の文字部分に相応して「ビイエルシイケイ」の称呼をも生じるものというべきである。
。
　また、請求人は、本願商標及び引用商標は、それぞれの紙巻きたばこのブランドを象徴・表示するものとして一般に広く知られた本願図形や引用図形と文字から構成されていること、及び、具体的な取引の事情に鑑みれば、出所の混同は生じない旨を主張する。
　しかしながら、引用商標に係る権利者の販売するたばこ「セブンスター」について、実際に販売されている商品の包装に表された商標（甲３６、甲３７）は、引用図形とは、具体的な構成態様が相違するものである。
　してみれば、引用図形が一般に広く知られた商標であること、及び、引用商標が実際の取引において使用されている商標であることを前提とする請求人の主張は、失当である。
　したがって、上記の請求人の主張は、いずれも採用することができない。
（３）まとめ
　以上からすれば、本願商標が、商標法第４条第１項第１１号に該当するとして本願を拒絶した原査定は、妥当であって、取り消すことはできない。 
　よって、結論のとおり審決する。